(57)【要約】      （修正有）【課題】合成樹脂製透光パネルが火災で軟化・燃焼したときに、その移動、落下を防止できる安全性の高い透光型遮音壁を提供する。【解決手段】合成樹脂製の透光性パネル２の横方向端部を支持させ、上下方向端部を横部材３で画した形式の遮音壁における前記透光性パネル２の板厚方向表面の近傍に沿って、格子状をなし端部が透光性パネル２近傍の縦部材１と横部材に支持された耐火線条物５製のパネル燃焼時落下防止装置４を付設した。【選択図】図３
2004270262.tif 000002
【特許請求の範囲】
【請求項１】
一定間隔ごとの縦部材間に合成樹脂製の透光性パネルの横方向端部を支持させ、上下方向端部を横部材で画した形式の遮音壁において、前記透光性パネルの板厚方向表面の近傍に沿って、格子状をなし端部が透光性パネル近傍の縦部材と横部材に支持された耐火線条物製のパネル燃焼時落下防止装置を付設したことを特徴とする透光型遮音壁。
【請求項２】
前記パネル落下防止装置は、縦スチールワイヤと横スチールワイヤからなり、縦スチールワイヤと横スチールワイヤは両端が縦部材と横部材に取り付けた端末金具に保持され、中間が縦部材と横部材に取り付けたガイド金具により方向変換されることで格子状を構成している請求項１に記載の透光型遮音壁。
【請求項３】
端末金具の少なくとも１つが緩衝部材を内蔵している請求項２に記載の透光型遮音壁。
【請求項４】
端末金具が、縦部材または横部材に対する取り付け部を有する有底のスリーブと、底と反対側に内挿された楔式のロープ止め金具と、該ロープ止め金具と底との間に介在されたコイルスプリングとを備えている請求項３に記載の透光型遮音壁。
【発明の詳細な説明】
【０００１】
【発明の属する技術分野】
本発明は合成樹脂製パネルを利用した透光型遮音壁に関する。
【０００２】
【従来の技術】
高速道路や鉄道などにおいては、騒音対策として遮音壁が設置されている。かかる遮音壁には、遮光型のほか、景観性を向上するため合成樹脂製透光パネルを用いた透光型のものが汎用されている。
【０００３】
ところで、こうした遮音壁は道路（本線）の側部に設置されることから、車両が衝突したり、故障して停止した状態で車両火災が生じたときに、近傍にある遮音壁が加熱して燃焼する可能性がある。
【０００４】
合成樹脂製透光パネルとしては、素材自体に自己消火性があるポリカーボネイトが多く用いられてきたが、屋外で実際に車両火災を想定してパネルの横でガソリンを燃焼させると、激しく燃えて火は消えず、燃焼時に流動化する特性から炎が着火した破片が周囲に落下する現象が見られる。
アクリルは、高い透光性、耐候性を有し、しかも板厚を厚くできるため、近年多く利用され、火災対策として、難燃剤を混入して燃焼速度を抑えるようにされ、燃焼してもポリカーボネイトのように火の粉を撒き散らすことはほとんどない。しかし、石油製品であるから燃焼は不可避的である。
【０００５】
このようにパネルが燃焼した場合、遮音壁が橋梁部などに設置されていると、軟化あるいは燃焼したパネルの全体あるいは一部が移動して下方の道路に落下したり、下方に建物がある場合にこれに飛散して二次火災を引き起こす危険があった。
しかし、従来ではこうした安全対策として有効なものがなかった。
【０００６】
なお、スパン方向で隣り合う透光性パネルの端部付近を支柱をまたぐようにワイヤで連結して落下を防止することが行われているが、ワイヤの端部が透光性パネル自体に連結されているため、地震などの際に透光性パネルが外れて落下するのを防止する効果は期待できるが、透光性パネルが燃焼したときの落下防止には何ら効果がなかった。
【０００７】
【発明が解決しようとする課題】
本発明は上記のような課題を解決するためになされたもので、その目的とするところは、合成樹脂製透光パネルが火災で軟化・燃焼したときに、その移動、落下を防止できる安全性を備えた透光型遮音壁を提供することにある。
【０００８】
【課題を解決するための手段】
上記目的を達成するため本発明は、一定間隔ごとの縦部材間に合成樹脂製の透光性パネルの横方向端部を支持させ、上下方向端部を横部材で画した形式の遮音壁において、前記透光性パネルの板厚方向表面の近傍に沿って、格子状をなし端部が透光性パネル近傍の縦部材と横部材に支持された耐火線条物製のパネル燃焼時落下防止装置を付設したことを特徴としている。
【０００９】
前記パネル落下防止装置は、縦スチールワイヤと横スチールワイヤからなり、縦スチールワイヤと横スチールワイヤは両端が縦部材と横部材に取り付けた端末金具に保持され、中間が縦部材と横部材に取り付けたガイド金具により方向変換されることで格子状を構成しており、好ましくは、端末金具の少なくとも１つは緩衝部材を内蔵している。
【００１０】
好適には、端末金具が、縦部材または横部材に対する取り付け部を有する有底のスリーブと、底と反対側に内挿された楔式のロープ止め金具と、該ロープ止め金具と底との間に介在されたコイルスプリングとを備えている。
【００１１】
【発明の実施の形態】
以下添付図面を参照して本発明の実施例を説明する。
図１と図２は本発明による透光型遮音壁の一例を示しており、１は道路に設けた側壁基礎１００に一定間隔で固定した支柱（縦部材）であり、断面がＨ状あるいは角型閉鎖断面となっている。
２は前記支柱１，１間に落し込まれる形式で張られた複数段（図面では４段）の透光性パネルであり、合成樹脂製の板（好適にはアクリル、場合によってはポリカーボネイトでもよい）からなり、板厚の中間部に繊維コードを埋設しているものを含んでいる。各段の透光性パネル２，２間には、両端が支柱１，１に掛け渡された桟（横部材）３、３が介在している。桟３は断面がＨ型あるいはコ状の鉄鋼材あるいはアルミ系金属材が用いられる。
【００１２】
４は本発明で特徴とするパネル燃焼時落下防止装置であり、車両などが路肩付近で火災を起し、それが透光性パネル２に燃え移って燃焼したときに、その透光性パネル２の軟化した部分や燃えカスなどが側道側に落下するのを防止するためのものである。
図示するものでは、下段と中間の透光性パネル２、２に対して装備されているが、上段の透光性パネルに対しても装備されることがありえる。
【００１３】
パネル燃焼時落下防止装置４は、透光性パネル２の少なくとも側道側の表面に近く、耐火線条物５、５’を格子状ないしメッシュ状に張設したもので、こうした格子状ないしメッシュ状の耐火線条物は、透光性パネル２を囲む骨格としての不燃性材質である縦部材としての支柱と横部材としての桟に端末が定着されている。
【００１４】
図３ないし図７はパネル燃焼時落下防止装置４の詳細を示している。
この例では、耐火線条物５、５’としてステンレスあるいは防食処理を施したスチール製のロープ（コードを含む）が用いられ、これを縦横に配することで格子状ないしメッシュ状を構成しており、端末金具６ａ，６ｂと、折り返し手段を兼ねた中間支持金具７によって桟３と支柱１に定着されている。
【００１５】
ロープ構造は任意であるが、この例では７×１９構造のものが使用されている。パネル２が透明であることからロープの線径があまり太いと目だって景観を損ねるので、一般に１．０〜２．５ｍｍの範囲から選択される。また、格子ないしメッシュの大きさは、目出たさせずかつパネルが燃焼して落下すると２次火災の危険がある面積相当分の落下を抑えることができるよう、たとえば３０〜１００ｍｍの範囲から選定される。
【００１６】
端末金具６ａは縦方向ロープ５及び横ロープ５’の一端に対するものであり、端末金具６ｂは縦方向ロープ５及び横ロープ５’の他端に対するものである。
端末金具６ａは、図５のように、一端に孔付き栓６００を有する有底スリーブ６０の他端内部に楔式のロープ止め金具６１を内装しており、このロープ止め金具６１と孔付き栓６００との間に緩衝部材としてコイルスプリング６２を介装する一方、ロープ止め金具６１の抜け止め部材６５を取り付けている。スリーブ６０は取り付け部を外部に有しているが、この例では、雄ねじ６０１としている。
【００１７】
ロープ止め金具６１は、スリーブ６１０内に２つ割のコーン状くさび６１１を配し、それらの後方をスプリング６１２で付勢したもので、ロープは後方（図５では上方）にのみ移動可能で、反対方向への移動はくさびによる締付けグリップ作用で不可能となっている。
【００１８】
端末金具６ｂは、前記端末金具６ａと同じものでも良いが、この例では、緩衝部材を用いない形態としている。すなわち、図７のように、雌ねじ付き袋穴６４０を有するスリーブ６４に、取り付け部として雄ねじ６４２を設けている。雄ねじはスリーブ外周に設けてもよいが、この例では軸としてスリーブの後端に一体形成している。
スリーブ６４の雌ねじ付き袋穴６４０には、前記したものと同様にケーシング６１０内に２つ割のコーン状くさび６１１を配し、それらの後方をスプリング６１２で付勢したロープ止め金具６１が内蔵されており、これを通過したロープ端末を取り出すため、スリーブ６４の中間に、雌ねじ付き袋穴６４０と通じる開孔６４１が設けられている。
【００１９】
縦ロープ５の端末金具６ａ、６ｂは、桟部分に固定される。一方の端末金具６ａは、桟３の形状によっては雄ねじ６０１によって直接ねじ込まれてもよいが、この例では桟３に固定した雌ねじ孔付きのブラケット３０にねじ込まれている。
他方の端末金具６ｂは、前記端末金具６の取り付け位置と反対側の桟端部付近に直接か、または、桟３に固定した雌ねじ孔付きのブラケット３０に雄ねじ６４２をもってねじ込み固定される。
横ロープ５’の端末金具６ａ、６ｂは支柱１に固定されるが、支柱１がパイプである場合にはこれに設けた雌ねじ孔に直接ねじ込み固定される。支柱１がＨ形鋼のような場合には、支柱１に固定した雌ねじ孔付きのブラケット１１にねじ込み固定される。
【００２０】
中間支持金具７は、図７に示すように、リング状部７０と雄ねじ部７１を有するアイボルトなどが用いられ、縦ロープ用の２つの中間支持金具７は、端末金具６ａ、６ｂと対峙する次段の桟３に直接かまたは、桟３に固定した雌ねじ孔付きのブラケット３０にねじ込み固定される。他の中間支持金具７は、端末金具６ａ、６ｂが属する桟３，３に所定の間隔をおいて前記と同じ方法で取り付けられている。
横ロープ用の中間支持金具７は、この例では、端末金具６ａ、６ｂを取り付けた支柱と反対側の支柱１に端末金具６ａ、６ｂと同じ方法で取り付けられている。
【００２１】
縦ロープ５は、図３における白抜きの矢印のように、端末金具６ａから次段の桟３の中間支持金具７を経由して９０度方向変換されて横に導かれた後、中間支持金具７を介して９０度方向変換されて縦に誘導され、桟３の中間支持金具７で９０度方向変換されて横に導かれるというように、ジグザグ状にＵターンを繰り返し、最終の中間支持金具７を経由して端末金具６ｂに導かれ、緊張状態で定着される。
【００２２】
横ロープ５’は、図３の矢印のように、端末金具６ａから縦ロープ５と交差するように横に導かれ、対峙している中間支持金具７を介して９０度方向変換されて縦に誘導され、高さ方向で間隔をあけた位置にある中間支持金具７で方向変換され、端末金具６ｂに導かれ、緊張状態で定着される。
したがって、この態様によれば、２本のロープで足り、しかも端末金具６ａ、６ｂはコーン状くさび６１１を有するロープ止め金具６１を有しているので、ロープを端末金具６ａ、６ｂに挿通して外方に引張るだけで、適正な張力状態でパネル２の表面近くに格子状ないしメッシュ状に張ることができる。
【００２３】
図示するものは本発明の一例であり、これに限定されるものではない。
１）格子は必ずしも矩形でなくてもよく、ひし形状であってもよく、それは中間支持金具７の配置で簡単に変更できる。
２）パネル２の縦幅が短い場合には、中間支持金具７を用いず、左右の支柱に端末金具６ａ、６ｂを取り付けて横ロープ５’を直線状に張ってもよい。
３）縦横ロープに代えてネットとしたものを使用し、これの縦縁部と横縁部を支柱１，１と桟３，３に取り付けてもよい。これは、支柱１，１と桟３，３にフックを配して引っ掛けてもよいし、支柱１，１と桟３，３に縦縁部と横縁部を重ね、帯板で挟持し、その帯板をボルトなどで締結してもよい。
４）パネル燃焼時落下防止装置４は、場合によっては、パネル２の側道側だけでなく、本線側にも設けてもよい。
【００２４】
【実施例の作用】
車両が路肩に衝突しあるいは停車して火災が発生した場合、パネル２は着火されて燃焼する。図８はこの状態を示しており、Ｆは燃焼炎であう。その燃焼により、パネル２は穴が開きその部分から燃焼が拡大し、軟化された部分が膨れたり、破片（燃えカス）となったり、残部パネルが元の位置からずれ、傾いたり垂下がったりする。
【００２５】
本発明の透光型遮音壁はパネル燃焼時落下防止装置４を有しており、格子状ないしメッシュ状に耐火線条物５、５’がパネル２の表面に対向している。耐火線条物５、５’は、端末が不燃材である支柱１、１や桟３，３に定着されている。
このため、軟化して膨らんだ部分、燃焼しあるいはくすぶっているパネルの残部の傾きは格子状ないしメッシュ状の耐火線条物５、５’により受け止められ、側道側に落下するのが防止され、下方に民家等があっても燃焼したパネルによって火災事故が発生するのを防止できる。
【００２６】
また、少なくとも一方の端末金具６ａは緩衝部材６２を内蔵しているので、前記のように軟化したパネル部分、燃焼しあるいはくすぶっている破片、パネルの残部の押圧で、あるいは燃焼熱によって支柱１や桟３が変形し、これらで耐火線条物５、５’が衝撃的に圧迫されたときには、ロープ止め金具６１が軸方向に引張られることで緩衝部材６２が圧縮され、その分だけ格子ないしメッシュがたわむことができるので、耐火線条物５、５’に過剰な負荷がかからず、切断が防止される。
【００２７】
実地に試験した結果を示すと、次のとおりである。
支柱を２０００ｍｍ間隔で配し、桟としてアルミ材を使用し、縦横２０００ｍｍ、厚さ５ｍｍのナイロンコード入りパネルを３スパン組付け、試験用遮音壁とした。
この遮音壁のパネルの側道に相当する側に、７×１９構造の径１．５、ｍｍのＳＵＳワイヤーを５０ｍｍの格子状に縦横に配し、ＳＵＳワイヤーの端末を、支柱と桟に図５，６の端末金具を使用して定着した。端末金具には１５０ｍｍ、有効巻数２５、５０ｋｇ荷重時高さ１００ｍｍのコイルスプリングを内蔵させた。
【００２８】
風速４〜９ｍ／ｓｅｃの条件下で、試験用遮音壁の本線側直近にガソリンを収容した皿を配し、着火燃焼させた。
その後の様子をビデオに撮影し検討した。その結果、炎がパネルに燃え移り、旺盛に燃焼し、パネルが軟化してふくらみ、垂下がり板状の燃えカスが発生したが、パネル燃焼時落下防止装置があるため、側道側に落ちなかった。また、パネルのふくらみ、倒れに加え、熱により桟や支柱が変形したが、パネルの燃焼中ワイヤが切断されることは無かった。これは、コイルスプリングが追従して緩衝作用を発揮したためであることが確認された。
【００２９】
耐火線条物５、５’は線径が細く、格子ないしメッシュの目が大きいので目立たず、パネルによる景観性を損なわない。
また、端末金具６ａ、６ｂとしてコーン状くさび６１１を有するロープ止め金具６１を使用した場合、ロープを挿通して中間支持金具７で支持と方向変換した状態でロープ両端末を背方に引張ることで必要張力が設定できるので、施工も簡単である。
【００３０】
【発明の効果】
以上説明した本発明の請求項１によるときには、透光性パネルの板厚方向表面の近傍に沿って、格子状をなし端部が透光性パネル近傍の縦部材と横部材に支持された耐火線条物製のパネル燃焼時落下防止装置を付設したので、合成樹脂製透光パネルが火災で軟化・燃焼したときに、その移動、落下を防止でき、構造も簡単で安価に施工できるというすぐれた効果が得られる。
【００３１】
請求項２によれば、パネル落下防止装置は、縦スチールワイヤ５と横スチールワイヤ５’からなり、縦スチールワイヤと横スチールワイヤは両端が縦部材と横部材に取り付けた端末金具６ａ、６ｂに保持され、中間が縦部材と横部材に取り付けたガイド金具７により方向変換されることで格子状を構成しているので、２本のロープで足りるとともに、施工も容易であるというすぐれた効果が得られる。
【００３２】
請求項３によれば、端末金具の少なくとも１つは緩衝部材を内蔵しているので、支柱１や桟３が変形し、これらで耐火線条物５、５’が衝撃的に圧迫されたときには、ロープ止め金具６１が軸方向に引張られることで緩衝部材６２が圧縮され、その分だけ格子ないしメッシュがたわむことができるので、耐火線条物５、５’に過剰な負荷がかからず、切断を防止できるというすぐれた効果が得られる。
請求項４によれば、端末金具６ａ、６ｂとしてコーン状くさび６１１を有するロープ止め金具６１を使用しているので、ロープを挿通して中間支持金具７で支持と方向変換した状態でロープ両端末を背方に引張ることで必要張力が設定でき、施工が簡単であるというすぐれた効果が得られる。
【図面の簡単な説明】
【図１】本発明による透光型遮音壁の一例を示す背面図である。
【図２】断面図である。
【図３】図１を拡大し、ロープ張りの経緯を併示した説明図である。
【図４】（ａ）は図１のＸ−Ｘ線に沿う拡大断面図、（ｂ）は図１の部分的拡大図である。
【図５】端末金具の例を示す部分切欠側面図である。
【図６】ロープの一例を示す拡大断面図である。
【図７】端末金具と中間金具の例を示す部分切欠側面図である。
【図８】火災発生時の状態を示す背面側からの斜視図である。
【符号の説明】
１  縦部材（支柱）
２  透光性パネル
３  横部材（桟）
４  パネル燃焼時落下防止装置
５、５  耐火線条物（ワイヤーロープ）
６ａ  端末金具
６ｂ  端末金具
７  ガイド金具
６０スリーブ
６１  ロープ止め金具
６２  コイルスプリング
【図１】
2004270262.tif 000003
【図２】
2004270262.tif 000004
【図３】
2004270262.tif 000005
【図４】
2004270262.tif 000006
【図５】
2004270262.tif 000007
【図６】
2004270262.tif 000008
【図７】
2004270262.tif 000009
【図８】
2004270262.tif 000010